(57)【要約】【課題】  不可逆的に封印可能であり且つ再利用可能な遊技機梱包箱を提供する。【解決手段】  遊技機梱包箱１において上面に開口部１０ａを設けた樹脂材料からなる箱状の本体１０に遊技盤Ｐ１を収納し、本体開口部１０ａに対して開閉可能に設けられた樹脂材料からなる蓋体２０を閉じて、本体側締結部材１７と蓋体側締結部材２１とをワンウェイねじ３０を介して不可逆的に締結することにより梱包箱１を封印することができる。また、開梱された梱包箱１は、使用済みの本体側締結部材１７及び蓋体側締結部材２１を新品と交換することにより再利用可能であるので、コスト削減及び省資源化を図ることができる。また、本体側締結部材１７及び蓋体側締結部材２１は、本体１０と蓋体２０とが締結された状態で取外し不能であるので、両部材の不正な取り外しが確実に防止される。【選択図】        図２
2005255178.tif 000002
【特許請求の範囲】
【請求項１】
遊技機製品又は部品を梱包する遊技機梱包箱であって、
少なくとも一つの面に開口部を設けた箱状の本体と、
その本体の開口部に対して開閉可能に設けられた蓋体と、
前記本体と前記蓋体との間を不可逆的に締結すると共に、前記本体又は前記蓋体に対して着脱可能な締結部材と
を備え、
前記締結部材は、前記本体と前記蓋体とが締結された状態で取外し不能に構成されたことを特徴とする遊技機梱包箱。
【発明の詳細な説明】
【技術分野】
【０００１】
本発明は、パチンコ機等の遊技機製品又は遊技盤等の遊技機部品の梱包に使用される遊技機梱包箱に関する。
【背景技術】
【０００２】
従来、パチンコ機等の遊技機の出荷には、遊技機全体をホールに納入する形態と、いわゆる板替えの際に遊技盤をホールに納入する形態とがあるが、遊技盤を納入する場合、製造ラインにて、遊技盤を製造し、製造した遊技盤に製造番号が印刷された証紙を貼付した遊技盤を段ボール箱に収容し、その段ボール箱の蓋を粘着テープで封緘した後、出荷又は保管されている（例えば、特許文献１参照。）。
【０００３】
さらに、従来、段ボール箱に代えて、樹脂材料を成形してなる収納体及び蓋体からなる遊技機用の梱包箱が提案されている（例えば、特許文献２参照。）。かかる従来の樹脂製梱包箱では、収納体の前面上部に回転式のロック手段を設け、蓋体を閉塞した場合にこれを簡易的にロック可能であると共に、発注元の固有識別表示を追記した封緘条片を蓋体と収納体との間に貼付けて封緘するようになっている。
【特許文献１】特開２００３−９３６２３号公報
【特許文献２】特開２００１−２７０５４４号公報
【発明の開示】
【発明が解決しようとする課題】
【０００４】
しかしながら、特許文献１に記載されるように段ボール箱で遊技盤の梱包を行った場合、段ボール箱を容易に切開することができるため、段ボール箱より遊技盤を取り出して不正改造を行った後、遊技盤を段ボール箱で再梱包することも比較的簡単であるという問題があった。また、段ボール箱の再梱包が行われた場合には、段ボール箱の梱包状態を見ただけでは不正改造を発見することが困難であるという問題があった。さらに、このように再梱包が容易であることから、遊技盤等の不正改造を試みようとする者が後を絶たないという問題もあった。
【０００５】
一方、特許文献２に記載された樹脂製梱包箱は段ボール箱のように容易に切開できないが、蓋体のロックを解除し、さらに蓋体と収納体との間に貼付けられた封緘条片を丁寧に剥がすことにより、梱包箱を破壊することなく蓋体の開放が可能であり、不正開封の痕跡を残さずに遊技機の不正改造が行われる可能性があるという問題がある。また、簡易的なロック手段に代えて鍵を用いて施錠する構成も考えられるが、鍵が偽造されるおそれがある。また、鍵の偽造を防止するために梱包箱１台毎に異なる鍵で施錠することは、鍵の管理等の問題から実施困難である。
解決しようとする課題は、不可逆的に封印可能であり且つ再利用可能な遊技機梱包箱を提供することである。
【課題を解決するための手段】
【０００６】
以下、上記課題を解決するのに適した各手段につき、必要に応じて作用効果等を付記しつつ説明する。
１．遊技機製品又は部品を梱包する遊技機梱包箱であって、
少なくとも一つの面に開口部を設けた箱状の本体と、
その本体の開口部に対して開閉可能に設けられた蓋体と、
前記本体と前記蓋体との間を不可逆的に締結すると共に、前記本体又は前記蓋体に対して着脱可能な締結部材と
を備え、
前記締結部材は、前記本体と前記蓋体とが締結された状態で取外し不能に構成されたことを特徴とする遊技機梱包箱。
手段１によれば、少なくとも一つの面に開口部を設けた箱状の本体に遊技機製品又は部品を収納し、本体の開口部に対して開閉可能に設けられた蓋体を閉じて、本体と蓋体とを締結部材を介して締結することにより遊技機梱包箱を封印することができる。また、本体と蓋体とが不可逆的に締結されるので、梱包箱の封印を不正に解除しようとした場合には、その痕跡が梱包箱に残るため、遊技機製品又は部品に対する流通過程における不正行為を効果的に防止できる。また、封印を解除するために締結部材が破壊されるが、使用済みの締結部材を本体又は蓋体から取り外し、未使用の締結部材を本体又は蓋体に取り付けることにより梱包箱を再利用可能であるので、コスト削減及び省資源化を図ることができる。さらに、締結部材は本体と蓋体とが締結された状態で取外し不能に構成されているので、締結部材の不正な取り外しが確実に防止される。尚、本明細書において、「不可逆的に締結」とは、梱包箱の少なくとも一部を破壊することなく締結状態を解除できないことを意味する。
【０００７】
２．前記締結部材は、前記本体と前記蓋体とが締結された状態で外部に露出しない位置で前記本体又は前記蓋体に固定されたことを特徴とする手段１に記載の遊技機梱包箱。
手段２によれば、締結部材が本体と蓋体とが締結された状態で外部に露出しない位置で本体又は蓋体に固定されているので、締結部材の不正な取り外しが確実に防止される。
【０００８】
３．前記締結部材は、ドライバ等の治具によって締付け方向にのみ回転可能なワンウェイねじを備え、そのワンウェイねじを介して前記本体と前記蓋体とを締結することを特徴とする手段１又は２に記載の遊技機梱包箱。
手段３によれば、締結部はドライバ等の治具によって締付け方向にのみ回転可能なワンウェイねじを介して本体と蓋体とを締結するので、締結部材の少なくとも一部を切断等により破壊することなく締結状態を解除できず、封印を不正に解除しようとした場合に痕跡を確実に残すことができる。
【０００９】
４．前記締結部材は、嵌め殺し構造を備えたことを特徴とする手段１又は２に記載の遊技機梱包箱。
手段４によれば、締結部材が嵌め殺し構造を備えているので、締結部材の少なくとも一部を切断等により破壊することなく締結状態を解除できず、封印を不正に解除しようとした場合に痕跡を確実に残すことができる。
【００１０】
５．前記締結部材の少なくとも一部が突設され、その突設部分を破壊することにより締結状態を解除可能であることを特徴とする手段１乃至４のいずれかに記載の遊技機梱包箱。
手段５によれば、締結部材の少なくとも一部が突設され、その突設部分を切断等により破壊することによって締結状態を解除可能であるので、封印の解除が容易であると共に封印を不正に解除しようとした場合には痕跡を確実に残すことができる。
【００１１】
６．前記締結部材の少なくとも一部が樹脂材料によって構成されたことを特徴とする手段１乃至５のいずれかに記載の遊技機梱包箱。
手段６によれば、締結部材の少なくとも一部が樹脂材料によって構成されているので強固に締結が可能であり且つペンチ等の治具を用いて切断等することにより容易に締結の解除が可能である。
【００１２】
７．前記締結部材は、前記本体に着脱可能に取り付けられた本体側締結部材と、前記蓋体に着脱可能に取り付けられた蓋体側締結部材とを備え、前記本体側締結部材と前記蓋体側締結部材とが不可逆的に締結されることを特徴とする手段１乃至６のいずれかに記載の遊技機梱包箱。
手段７によれば、本体に着脱可能に取り付けられた本体側締結部材と、蓋体に着脱可能に取り付けられた蓋体側締結部材とが不可逆的に締結されることによって遊技機梱包箱が確実に封印される。また、封印を解除する際に本体側締結部材又は蓋体側締結部材が破壊されるが、これらの部材を未使用の物と交換することによって梱包箱を再利用することができる。
【００１３】
８．前記本体及び／又は前記蓋体が樹脂材料によって構成されたことを特徴とする手段１乃至７のいずれかに記載の遊技機梱包箱封印装置。
手段８によれば、本体及び／又は蓋体が樹脂材料によって構成されているので、強度に優れた梱包箱を安価に製造することができる。
【００１４】
９．前記本体及び／又は前記蓋体の少なくとも一部が透明な樹脂材料によって構成されたことを特徴とする手段８に記載の遊技機梱包箱。
手段９によれば、本体及び／又は蓋体の少なくとも一部が透明な樹脂材料によって構成されているので、梱包箱を封印した状態で内部に収納された遊技機製品又は部品における異状の有無を容易に視認することができる。
【００１５】
１０．前記本体及び／又は前記蓋体が折り畳み可能に構成されたことを特徴とする手段１乃至９のいずれかに記載の遊技機梱包箱。
手段１０によれば、本体及び／又は蓋体が折り畳み可能に構成されているので、保管や運搬の際には折り畳んで薄型の形状とし、省スペース化を図ることができる。
【００１６】
１１．前記本体又は前記蓋体には、発送情報が印字される発送情報印字部材が着脱可能に取り付けられたことを特徴とする手段１乃至１０のいずれかに記載の遊技機梱包箱。
手段１１によれば、本体又は蓋体に発送情報が印字される発送情報印字部材が着脱可能に取り付けられているので、開梱された梱包箱は印字済みの発送情報印字部材を未使用の物と交換することによって梱包箱を再利用することができる。
【００１７】
１２．前記発送情報印字部材は、前記本体と前記蓋体とが締結された状態で取外し不能に構成されたことを特徴とする手段１１に記載の遊技機梱包箱。
手段１２によれば、発送情報印字部材は、本体と蓋体とが締結された状態で取外し不能であるので、発送情報印字部材の不正な取り外しを確実に防止することができる。
【００１８】
１３．前記本体の内側面に、前記遊技機製品又は部品を前記本体内の所定位置に位置決めする位置決め部が形成されたことを特徴とする手段１乃至１２のいずれかに記載の遊技機梱包箱。
手段１３によれば、本体の内側面に遊技機製品又は部品を本体内の所定位置に位置決めする位置決め部が形成されているので、梱包される遊技機製品等を本体内の所定位置に確実に位置決めすることができる。また、複数の遊技機製品等を梱包箱内で仕切るために従来より使用されていた仕切り板を用いることなく、遊技機製品等が梱包箱内で互いにぶつかり合って破損することを防止することができる。
【００１９】
１４．前記位置決め部は、前記遊技機製品又は部品の少なくとも一部を案内する前記本体の内側面に形成された案内溝であることを特徴とする手段１３に記載の遊技機梱包箱。
手段１４によれば、本体の内側面に、遊技機製品又は部品の少なくとも一部を案内する案内溝が形成されているので、遊技機製品等を案内溝によって容易に位置決めしつつ本体内部に収納することができると共に、遊技機製品等の破損を防止することができる。
【００２０】
１５．遊技機製品が梱包される梱包箱であることを特徴とする手段１乃至１４のいずれかに記載の遊技機梱包箱。
手段１５によれば、梱包された遊技機製品に対する流通過程における不正行為を効果的に防止できる。
【００２１】
１６．前記遊技機製品は、パチンコ機であることを特徴とする手段１５に記載の遊技機梱包箱。
手段１６によれば、梱包されたパチンコ機に対する流通過程における不正行為を効果的に防止できる。
【００２２】
１７．前記遊技機製品は、スロットマシンであることを特徴とする手段１５に記載の遊技機梱包箱。
手段１７によれば、梱包されたスロットマシンに対する流通過程における不正行為を効果的に防止できる。
【００２３】
１８．前記遊技機製品は、複数種類の図柄が表示された複数の回転リールを有し、前記各回転リールの回転停止時の図柄の組合わせに基づく入賞態様に応じて遊技球が払い出されるパチロット機であることを特徴とする手段１５に記載の遊技機梱包箱。
手段１８によれば、梱包されたパチロット機に対する流通過程における不正行為を効果的に防止できる。
【００２４】
１９．遊技機部品が梱包される梱包箱であることを特徴とする手段１乃至１４のいずれかに記載の遊技機梱包箱。
手段１９によれば、梱包された遊技機部品に対する流通過程における不正行為を効果的に防止できる。
【００２５】
２０．前記遊技機部品は、遊技機の制御装置であることを特徴とする手段１９に記載の遊技機梱包箱。
手段２０によれば、梱包された遊技機の制御装置に対する流通過程における不正行為を効果的に防止できる。
【００２６】
２１．前記遊技機部品は、パチンコ機の遊技盤であることを特徴とする手段１９に記載の遊技機梱包箱。
手段２１によれば、梱包されたパチンコ機の遊技盤に対する流通過程における不正行為を効果的に防止できる。
【発明の効果】
【００２７】
本発明によれば、本体と蓋体とが不可逆的に締結されるので、封印を不正に解除しようとした場合には、その痕跡が梱包箱に残るため、遊技機製品又は部品に対する流通過程における不正行為を効果的に防止できる。また、封印を解除するために締結部材が破壊されるが、開梱された梱包箱から使用済みの締結部材を取り外し、未使用の締結部材を本体又は蓋体に取り付けることにより梱包箱を再利用可能であるので、コスト削減及び省資源化を図ることができる。さらに、締結部材は本体と蓋体とが締結された状態で取外し不能に構成されているので、締結部材の不正な取り外しが確実に防止される。
【発明を実施するための最良の形態】
【００２８】
以下、本発明の遊技機梱包箱を具体化した一実施形態について、図面を参照しつつ説明する。本実施形態の遊技機梱包箱（以下、梱包箱）１は、複数台（例えば、３台）の遊技盤Ｐ１を梱包するための樹脂材料からなる梱包箱である。まず、梱包箱１の説明に先立って、梱包箱１にて梱包される遊技盤Ｐ１について図１を参照しつつ説明する。尚、図１は、本発明の一実施形態における蓋体２０を開放した状態の梱包箱１及び梱包される遊技盤Ｐ１の斜視図である。
【００２９】
遊技盤Ｐ１は、パチンコ機の主要部品をなす遊技盤であって、遊技盤用ベニヤ板（遊技板Ｐ２）に化粧板を貼った後、釘打ちを行い、遊技領域を囲むように概略一回転する金属製のガイドレールを取り付けると共に、その遊技領域に風車や役物等の部品を取り付け、更に遊技盤の各種制御を行うための各種基板を収容したメイン基板、音声基板、ランプ基板等が収容された基板ボックスが取り付られけた装置である。
【００３０】
次に、梱包箱１の構成について、図１乃至図１０を参照しつつ説明する。尚、図２は、着脱可能な各部材を取り外した状態を示す梱包箱１の分解斜視図である。図３は、梱包箱１の左側面図であり、（ａ）は蓋体２０を開放した状態を、（ｂ）は蓋体２０を閉じた状態をそれぞれ示している。梱包箱１は、図１等に示すように、本体１０と、本体１０上面の開口部１１に対して開閉可能に設けられた蓋体２０とから構成される。
【００３１】
本体１０は、樹脂成形された箱状部材であり、上面に開口部１０ａが設けられている。本体１０は、具体的には、樹脂成形された矩形平板状の前面部１１，右側面部１２，背面部１３、左側面部１４及び底面部１５によって箱状が形成されている。本体１０の背面部１３上部は、肉薄状の樹脂からなる連結部１６によって蓋体２０後端に連結されている。
【００３２】
また、本体１０の前面部１１上端面には、本体側締結部材１７が着脱可能に取り付けられている。本体側締結部材１７は、断面矩形の棒状をなす取り付け部１８と、その取り付け部１８の長手方向に沿って等間隔に突設された複数個（例えば、３個）の締結片１９とを有する。取り付け部１８には、取り付けねじ１８ａの胴体部が上下に挿通可能な挿通孔１８ｂが長手方向に沿って複数箇所に形成されている（図２参照）。また、前面部１１は、本体側締結部材１７を上端面に取り付けた状態で他の側面部（右側面部１２等）と同じ高さとなるように他の側面部よりも高さが低く設定され、上端面には挿通孔１８ｂに対応するねじ孔１１ａが複数箇所に設けられている（図６参照）。そして、本体側締結部材１７は、取り付け部１８において取り付けねじ１８ａが挿通孔１８ｂに挿通され且つねじ孔１１ａに螺入されることにより、前面部１１上端面に固着される。
【００３３】
本体側締結部材１７の各締結片１９は、図５及び図６に示すように、ワンウェイねじ３０が螺入されるねじ孔１９ｂを有する有底円筒状のボス部１９ａと、ボス部１９ａと取り付け部１８とを接続する平面視コの字形の接続部１９ｃとを備えている。尚、図５は、本体側締結部材１７が本体１０に取り付けられた状態を示す平面図である。また、図６（ａ）は、図５におけるＡ−Ａ線断面図であり、（ｂ）は本体側締結部材１７を本体１０から取り外した状態を示す断面図である。
【００３４】
また、梱包箱１を封印する際には、図３（ｂ）に示すように、本体側締結部材１７の各締結片１９がワンウェイねじ３０を介して後述する蓋体側締結部材２１と締結される。ここで、ワンウェイねじ３０は、図４に示すように、ドライバ溝３０ａが締付け方向である時計回り方向に対して壁状に立っており、反時計回り方向に対して坂になっており、時計回り方向に回転させる場合のみドライバ等の治具と係合し、反時計回り方向に回転させようとしても治具と係合しないように構成されたねじである。
【００３５】
本体１０の前面部１１には、図１及び図２に示すように、発送情報が印字される発送情報印字プレート３１が着脱可能に設けられている。発送情報印字プレート３１は、発送情報の印字面が設けられた矩形平板状の発送情報印字部３１ａと、発送情報印字部３１ａの背面側に設けられた一回り大きな外形を有するベース部３１ｂとから構成される。一方、本体１０の前面部１１中央には、発送情報印字プレート３１の発送情報印字部３１ａが嵌め込まれる矩形状の開口部１１ｂが形成されている。そして、発送情報印字プレート３１は、図２に示すように、本体１０の内側から発送情報印字部３１ａを開口部１１ｂに嵌め込み、開口部１１ｂよりも外形の大きなベース部３１ｂの四隅で取り付けねじ３１ｃを介して前面部１１内側面に固着される。尚、発送情報印字プレート３１が、本発明の発送情報印字部材を構成するものである。
【００３６】
尚、発送情報とは、視認して保管・出荷作業を行うための遊技盤Ｐ１の発送に関する情報であって、具体的には、梱包箱１に収容された遊技盤Ｐ１の納品先名、納品先住所、遊技盤に貼付けられた証紙の管理番号、機種名、枚数等の情報が含まれる。
【００３７】
また、本体１０の右側面部１２内側面には、遊技盤Ｐ１の遊技板Ｐ２の板厚よりも僅かに大きな溝幅の遊技板案内溝１２ａが等間隔で３箇所に形成され、左側面部１４の内側面には各遊技板案内溝１２ａにそれぞれ対向する位置に同様の溝幅の遊技板案内溝１４ａが形成されている。すなわち、本体１０内側面には左右一対の遊技板案内溝１２ａ，１４ａが３組形成され、対をなす各遊技板案内溝１２ａ，１４ａは、それぞれ遊技盤Ｐ１が本体１０に収納される際に遊技板Ｐ２の左右両端を案内すると共に、収納された３台の遊技盤Ｐ１が本体１０内で動かないように各遊技板Ｐ２の左右両端を保持する役割を有する。尚、遊技板案内溝１２ａ，１４ａが、本発明の位置決め部及び案内溝を構成するものである。
【００３８】
蓋体２０は、樹脂成形された矩形状の平板であり、図１等に示すように、背面側が連結部１６を介して本体１０の背面部１３上部と連結されることにより、本体１０の開口部１０ａに対して開閉可能となっている。また、蓋体２０の前端面には、蓋体側締結部材２１が着脱可能に取り付けられている。蓋体側締結部材２１は、断面矩形の棒状をなす取り付け部２２と、本体側締結部１７の各締結片１９にそれぞれ対応させて取り付け部２２の長手方向に沿って等間隔に突設された複数個（３個）の締結片２３とから構成される。また、取り付け部２２には長手方向に沿って複数箇所に、取り付けねじ２２ａの胴体部が上下に挿通可能な挿通孔２２ｂが形成されている。また、蓋体２０前端部は、蓋体側締結部材２１の取り付けるスペースを確保するために下側半分が切り欠かれており、その切り欠き部分には挿通孔２２ｂに対応して複数個のねじ孔２０ａが設けられている。そして、蓋体側締結部材２１は、取り付け部２２において取り付けねじ２２ａが挿通孔２２ｂに挿通され且つねじ孔２０ａに螺入されることにより、蓋体２０前端の切り欠き部分に固着される。
【００３９】
また、取り付け部２２に突設された各締結片２３は、図７及び図８に示すように、本体側締結部材１７の締結片１９のねじ孔１９ｂに整合して設けられ且つワンウェイねじ３０の胴体部が上下方向に挿通される挿通孔２３ｂを有する円筒状のボス部２３ａと、ボス部２３ａと取り付け部２２とを接続する直線状の接続部２３ｃとを備えている。尚、図７（ａ）は、蓋体側締結部材２１が蓋体２０に取り付けられた状態を示す平面図であり、（ｂ）は下面図である。また、図８（ａ）は図７（ａ）におけるＢ−Ｂ線断面図であり、（ｂ）は蓋体側締結部材２１を蓋体２０から取り外した状態を示す断面図である。尚、本体側締結部材１７と蓋体側締結部材２１とが、本発明の締結部材を構成するものである。
【００４０】
次に、上述した構成を有する梱包箱１を封印する手順について説明する。まず、図１に示すように、梱包箱１の蓋体２０を開放させ、複数の遊技盤Ｐ１を本体１０内へ収納する。この時、各遊技盤Ｐ１の遊技板Ｐ２の左右両端が一対の遊技盤案内溝１２ａ，１４ａによって案内されるため、本体１０内の所定位置へ確実に収納することができる。次に、図３（ｂ）、図９及び図１０に示すように、蓋体２０を本体１０の開口部１０ａ側へ閉じて、蓋体２０前端に取り付けられた蓋体側締結部２１と本体１０の上端に取り付けられた本体側締結部材１７に重ね合わせ、蓋体側締結部２１の各締結片２３の挿通孔２３ｂと、対応する本体側締結部１７の各締結片１９のねじ孔１９ｂとをそれぞれ整合させる。そして、蓋体側締結部２１の各締結片２３の挿通孔２３ｂにワンウェイねじ３０を差し込み、ドライバ等の治具でワンウェイねじ３０を時計回りに回すことにより、ワンウェイねじ３０が本体側締結部１７の各締結片１９側へねじ込まれて蓋体側締結部２１と本体側締結部１７とが締結されて梱包箱１の封印が完了する。ここで、図９は、梱包箱１が封印された状態を示す斜視図である。また、図１０（ａ）は本体側締結部材１７の各締結片１９と蓋体側締結部材２１の各締結片２３とがワンウェイねじ３０で締結された状態を示す平面図、（ｂ）は（ａ）におけるＣ−Ｃ線断面図である。
【００４１】
このようにして梱包箱１の封印が完了した状態では、蓋体側締結部材２１の各締結片２３と本体側締結部材１７の各締結片１９とを締結するワンウェイねじ３０がドライバ等の治具によって反時計回り方向に回転させようとしても治具と係合しないため、ワンウェイねじ３０を弛めて取り外すことはできない。従って、梱包箱１の封印を不正に解除しようとした場合には、その痕跡が梱包箱１に残るため、不正行為を効果的に防止できる。また、遊技盤Ｐ１が収納され且つ封印された梱包箱１は、前面部１１に取り付けられた発送情報印字プレート３１において開口部１１ａより露出する発送情報印字部３１ａに発送情報が印字される（図９参照）。尚、樹脂製の発送情報印字部３１ａに発送情報を直接印字するようにしてもよく、或いは、発送情報印字部３１ａに紙製ラベルを貼付けてラベル上に発送情報を印字するようにしてもよい。
【００４２】
続いて、梱包箱１の封印を解除する手順について説明する。封印を解除するには、ワンウェイねじ３０を介して締結された全ての蓋体側締結部２１における締結片２３の接続部２３ｃをペンチ等の工具で切断する。図１１は、接続部２３ｃが切断されて、蓋体２０を開放可能となった状態における本体側締結部材１７及び蓋体側締結部材２１付近の構成を示す断面図である。本体側締結部材１７の各締結片１９と蓋体側締結部材２１の各締結片２３との締結状態、すなわち封印が解除されると、図１２に示すように、蓋体２０を開放することができるので、本体１０から各遊技盤Ｐ１を取り出すことが可能となる。
【００４３】
以上詳述したことから明らかなように、本実施形態によれば、上面に開口部１０ａを設けた樹脂材料からなる箱状の本体１０に遊技盤Ｐ１を収納し、本体開口部１０ａに対して開閉可能に設けられた樹脂材料からなる蓋体２０を閉じて、本体側締結部材１７と蓋体側締結部材２１とをワンウェイねじ３０を介して締結することにより遊技機梱包箱１を封印することができる。また、本体１０と蓋体２０とがワンウェイねじ３０により不可逆的に締結されるので、梱包箱１の封印を不正に解除しようとした場合には、その痕跡が梱包箱１に残るため、遊技盤Ｐ１に対する流通過程における不正行為を効果的に防止できる。また、封印を解除するために蓋体側締結部材２１が破壊されるが、開梱された梱包箱１から使用済みの本体側締結部材１７と蓋体側締結部材２１とを取り外し、未使用の本体側締結部材１７及び蓋体側締結部材２１を本体１０又は蓋体２０に取り付けることにより梱包箱１を再利用可能であるので、コスト削減及び省資源化を図ることができる。また、本体側締結部材１７及び蓋体側締結部材２１は、本体１０と蓋体２０とが締結された状態で取外し不能に構成されているので、本体側締結部材１７及び蓋体側締結部材２１の不正な取り外しが確実に防止される。
【００４４】
また、本体１０と蓋体２０とが、ドライバ等の治具によって締付け方向にのみ回転可能なワンウェイねじ３０を介して締結されるので、梱包箱１の一部（例えば、蓋体側締結部材２１の接続部２３ｃ）を切断等することなく締結状態を解除できず、封印を不正に解除しようとした場合に梱包箱１に痕跡を確実に残すことができる。
【００４５】
また、本体側締結部１７において締結片１９が、蓋体側締結部２１において締結片２３がそれぞれ突設されており、樹脂材料からなる蓋体側締結部２１の接続部２３ｃをペンチ等の治具を用いて切断等により破壊することによって締結状態を解除可能であるので、封印の解除が容易であると共に封印を不正に解除しようとした場合には痕跡を確実に残すことができる。
【００４６】
また、発送情報が印字される発送情報印字プレート３１が本体１０に対して着脱可能に取り付けられているので、開梱された梱包箱１における印字済みの発送情報印字プレート３１を新品と交換することによって梱包箱１を再利用することができる。また、本体１０と蓋体２０とが締結された状態で取り付けねじ３１ｃが外部に露出しておらず、発送情報印字プレート３１が取外し不能であるので、発送情報印字プレート３１の不正な取り外しを確実に防止することができる。
【００４７】
また、本体１０の内側面に、遊技盤Ｐ１の遊技板Ｐ２を位置決めし且つ案内する遊技板案内溝１２ａ，１４ａが形成されているので、遊技板Ｐ２を容易に位置決めしつつ本体１０内部に遊技板Ｐ１を収納することができると共に、収納された遊技盤Ｐ１が動かないように保持することにより破損を防止することができる。また、本体１０及び蓋体２０が樹脂材料によって構成されているので、強度に優れた梱包箱１を安価に製造することができる。
【００４８】
尚、本発明は上述した各実施の形態に限定されるものではなく、本発明の主旨を逸脱しない範囲で種々の変更を施すことが可能である。例えば、前記実施形態では、本体１０と蓋体２０とをワンウェイねじ３０を介して不可逆的に締結する構成としたが、本体側締結部材及び蓋体側締結部材の一方が他方を嵌め殺し状に係止する嵌め殺し構造によって不可逆的に締結する構成としてもよい。例えば、図１３乃至図１５に示す第一の変形例において、本体側締結部材１１７は、断面矩形の棒状をなす取り付け部１１８と、取り付け部１１８に突設された複数の締結片１１９を有し、各締結片１１９は内部空間１１９ｂと上部開口１１９ｃとを有するピン係合部１１９ａと、そのピン係合部１１９ａと取り付け部１１８とを接続する平面視コの字形の接続部１１９ｄとから構成される。また、本変形例において、蓋体側締結部材１２１は、断面矩形の棒状をなす取り付け部１２２と、取り付け部１２２に突設された複数の締結片１２３を有し、各締結片１２３は、上部開口１１９ｃの位置に対応する傘型の挿入部１２３ｂを有するカシメピン１２３ａと、カシメピン１２３ａと取り付け部１２２とを接続する接続部１２３ｃとから構成される。蓋体２０を本体１０の開口部１０ａ側へ閉じ、本体側締結部材１１７の上部開口１１９ｃに蓋体側締結部１２１のカシメピン１２３ａの挿入部１２３ｂを押し込むと、挿入部１２３ｂが弾性変形して本体側締結部１１７の内部空間１１９ｂに差し込まれる（図１４参照）。挿入部１２３ｂが上部開口１１９ｃを通過すると、挿入部１２３ｂがその復元力により開いて挿入部１２３ｂがピン係合部１１９ａの内壁面に係合するので、カシメピン１２３ａを引き抜くことができない状態となる（図１５参照）。従って、締結状態を解除するためには蓋体側締結部材１２１の接続部１２３ｃ等を切断等する必要があり、梱包箱１の封印を不正に解除しようとした場合にその痕跡が梱包箱１に残るため、不正行為を効果的に防止できる。
【００４９】
また、前記実施形態において、本体１０及び／又は蓋体２０を折り畳み可能な構成としてもよい。例えば、第二の変形例の梱包箱１では、図１６に示すように、底面部１５を蓋体２０と同様に開閉可能且つ不可逆的に締結可能な構成とすることにより、本体１０を折り畳み可能な構成としている。すなわち、本変形例では、底面部１５は側面部１１〜１４に対して開閉可能であり且つ蓋体側締結部材２１が着脱可能に取り付けられると共に、左側面部１４下端には本体側締結部材１７が着脱可能に取り付けられ、底面部１５と左側面部１４とがワンウェイネジ１９を介して不可逆的に締結される構成となっている（但し、図１６では、左側面部１４下端に取り付けられた本体側締結部材１７は左側面部１４の裏側となるため図示されない）。図１６では、前面部１１の内側と左側面部１４の内側とを当接させ、且つ右側面部１２の内側と背面部１３の内側とをそれぞれ当接させるように折り畳まれ、蓋体２０及び底面部１５ｄを開放させることにより梱包箱１が薄型の全体形状となり、保管や運搬等において省スペース化を図ることができる。
【００５０】
また、前記実施形態において、本体１０及び／又は蓋体２０の少なくとも一部を透明な樹脂材料によって構成してもよい。本変形例によれば、梱包箱１が封印された状態で、梱包箱１内に収納された梱包箱Ｐ１における異状の有無を容易に視認することができる。
【００５１】
また、前記実施形態において、梱包箱１はパチンコ機の遊技盤Ｐ１を梱包するための梱包箱であったが、いかなる遊技機製品又は部品を梱包するための梱包箱であってもよい。例えば、梱包箱１は、パチンコ機，スロットマシン，複数種類の図柄が表示された複数の回転リールを有し、前記各回転リールの回転停止時の図柄の組合わせに基づく入賞態様に応じて遊技球が払い出されるパチロット機等の遊技機製品を梱包するための梱包箱であってもよい。あるいは、遊技機の制御装置（例えば、メイン基板や払出制御基板）等の遊技機部品を梱包するための梱包箱であってもよい。これらの遊技機製品又は部品が梱包された梱包箱１を不可逆的に封印することによって、パチンコ機，スロットマシン，パチロット機等の遊技機製品や遊技盤や制御装置等の遊技機部品に対する流通過程における不正行為を効果的に防止できる。
【産業上の利用可能性】
【００５２】
パチンコ機だけでなくスロットマシンや、パチンコ機とスロットマシンとを融合した遊技機等のあらゆる遊技機製品又は部品を梱包する梱包箱に適用できる。
【図面の簡単な説明】
【００５３】
【図１】本発明の一実施形態における蓋体を開放した状態の遊技機梱包箱及び梱包される遊技盤の斜視図である。
【図２】着脱可能な各部材を取り外した状態を示す遊技機梱包箱の分解斜視図である。
【図３】梱包箱の左側面図であり、（ａ）は蓋体を開放した状態を、（ｂ）は蓋体を閉じた状態をそれぞれ示している。
【図４】ワンウェイねじの外観を示す斜視図である。
【図５】本体側締結部材が本体に取り付けられた状態を示す平面図である。
【図６】（ａ）は図５におけるＡ−Ａ線断面図であり、（ｂ）は本体側締結部材を本体から取り外した状態を示す断面図である。
【図７】（ａ）は蓋体側締結部材が蓋体に取り付けられた状態を示す平面図であり、（ｂ）はその下面図である。
【図８】（ａ）は図７（ａ）におけるＢ−Ｂ線断面図であり、（ｂ）は蓋体側締結部材を蓋体から取り外した状態を示す断面図である。
【図９】梱包箱が封印された状態を示す斜視図である。
【図１０】（ａ）は本体側締結部材と蓋体側締結部材とがワンウェイねじで締結された状態を示す平面図、（ｂ）は（ａ）におけるＣ−Ｃ線断面図である。
【図１１】蓋体側締結部材の接続部が切断されて蓋体が開放可能となった状態を示す本体側締結部材及び蓋体側締結部材付近の断面図である。
【図１２】蓋体側締結部材の接続部を切断することにより封印が解除された梱包箱の斜視図である。
【図１３】本体側締結部材が蓋体側締結部材のカシメピンを嵌め殺し状に係止するように構成した第一の変形例において本体側締結部材と蓋体側締結部材とを締結する前の状態を示す断面図である。
【図１４】第一の変形例において蓋体側締結部材のカシメピンが本体側締結部材のピン係合部に押し込まれる途中の状態を示す断面図である。
【図１５】第一の変形例において本体側締結部材と蓋体側締結部材との締結が完了した状態を示す断面図である。
【図１６】第二の変形例の梱包箱において本体を折り畳んだ状態を示す斜視図である。
【符号の説明】
【００５４】
Ｐ１  遊技盤
１    遊技機梱包箱
１０  本体
１０ａ  開口部
１２ａ  遊技板案内溝（位置決め部、案内溝）
１４ａ  遊技板案内溝（位置決め部、案内溝）
１７  本体側締結部材（締結部材）
１８  取り付け部
１９  締結片
２０  蓋体
２１  蓋体側締結部材（締結部材）
２２  取り付け部
２３  締結片
３０  ワンウェイねじ
３１  発送情報印字プレート（発送情報印字部材）
１１７  本体側締結部材（締結部材）
１１８  取り付け部
１１９  締結片
１１９ａ  ピン係合部（嵌め殺し構造）
１２１  蓋体側締結部材（締結部材）
１２２  取り付け部
１２３  締結片
１２３ａ  カシメピン（嵌め殺し構造）
【図１】
2005255178.tif 000003
【図２】
2005255178.tif 000004
【図３】
2005255178.tif 000005
【図４】
2005255178.tif 000006
【図５】
2005255178.tif 000007
【図６】
2005255178.tif 000008
【図７】
2005255178.tif 000009
【図８】
2005255178.tif 000010
【図９】
2005255178.tif 000011
【図１０】
2005255178.tif 000012
【図１１】
2005255178.tif 000013
【図１２】
2005255178.tif 000014
【図１３】
2005255178.tif 000015
【図１４】
2005255178.tif 000016
【図１５】
2005255178.tif 000017
【図１６】
2005255178.tif 000018